(57)【要約】【課題】長期にわたり興味を持たせることができるペット用知育具を提供する。【解決手段】ペット用知育具１は、周面１１に少なくとも１つの開口部１２を備え内部が収納空間１３とされた知育具本体１０と、一端側にこの知育具本体１０の開口部１２と嵌合可能な嵌合部２２を有し、他端側に開口部１２を通じて収納空間１３の内外に出入り可能で且つペット嗜好物５０を保持する保持部２１を有する嗜好物保持体２０と、を備え、知育具本体１０の開口部１２に嗜好物保持体２０の嵌合部２２が嵌合されたとき、開口部１２が嵌合部２２で閉塞されるとともに、保持部２１に保持されたペット嗜好物５０が知育具本体１０の内部に隠匿される構造とされたものである。ペット嗜好物５０が隠匿されるので、ペット用玩具１に長期にわたり興味を持たせることができる。【選択図】図１
2009136252.tif 000002
【特許請求の範囲】
【請求項１】
周面に少なくとも１つの開口部を備え内部が収納空間とされた知育具本体と、
一端側にこの知育具本体の前記開口部と嵌合可能な嵌合部を有し、他端側に前記開口部を通じて前記収納空間の内外に出入り可能で且つペット嗜好物を保持する保持部を有する嗜好物保持体と、を備え、
前記知育具本体の開口部に前記嗜好物保持体の嵌合部が嵌合されたとき、該開口部が嵌合部で閉塞されるとともに、前記保持部に保持されたペット嗜好物が知育具本体内に隠匿されることを特徴とするペット用知育具。
【請求項２】
請求項１に記載のペット用知育具において、
前記知育具本体と前記嗜好物保持体とを連繋する連繋手段を備えたことを特徴とするペット用知育具。
【請求項３】
請求項１又は２に記載のペット用知育具において、
前記知育具本体に、前記嗜好物保持体を模したダミーが設けられたことを特徴とするペット用知育具。
【発明の詳細な説明】
【技術分野】
【０００１】
本発明はペット用知育具に関する。
【背景技術】
【０００２】
近年、ペットが屋内でも飼われるようになって久しいが、屋内であるが故にペットがストレスを溜める傾向が顕著になってきている。そこで、ペットのストレスを発散させることや、ペットの脳を活性化させることを目的としてペット用知育具が用いられている。
【０００３】
従来のペット用知育具は、そのペット用知育具自体を転がすことにより、ペット用知育具の内部の収納空間に詰め込まれた粒状の餌が、収納空間の開口部から吐出する構造となっている（例えば、特許文献１）。
【０００４】
このようなペット用知育具をペットに与えると、ペットは餌に惹きつけられてペット用知育具に興味を示し、このペット用知育具で遊ぶ。この結果、ペットのストレスを発散させることができる。また、しばらく、そのペット用知育具で遊ぶうちにペット用知育具を転がすことにより餌が出てくることを習得する。また、ペットによっては、その転がし方によって効率のよい餌の出し方を習得するものもいる。このように、ペットにペット用知育具を与えることで、自ら試行錯誤して餌の出し方を習得させることができ、脳を活性化させるという効果が期待できた。
【特許文献１】実用新案登録第３１０３３５７号公報
【発明の開示】
【発明が解決しようとする課題】
【０００５】
しかしながら、特許文献１に記載のペット用知育具では、ペット用知育具自体を転がせば確実に餌が出てくる構造となっているため、ペットは餌が出てきたこと自体に満足してしまうことがあった。このようなペットであれば、すぐにペット用知育具に飽きてしまい、持続的にペット用知育具に興味を持たせることができない。
【０００６】
本発明はこのような状況に鑑みてなされたものであり、長期にわたり興味を持たせることができるペット用知育具を提供することを目的とする。
【課題を解決するための手段】
【０００７】
本発明に係るペット用知育具は、周面に少なくとも１つの開口部を備え内部が収納空間とされた知育具本体と、一端側にこの知育具本体の前記開口部と嵌合可能な嵌合部を有し、他端側に前記開口部を通じて前記収納空間の内外に出入り可能で且つペット嗜好物を保持する保持部を有する嗜好物保持体と、を備え、前記知育具本体の開口部に前記嗜好物保持体の嵌合部が嵌合されたとき、該開口部が嵌合部で閉塞されるとともに、前記保持部に保持されたペット嗜好物が知育具本体内に隠匿されることを特徴とする。
【０００８】
本発明によれば、知育具本体の開口部に嗜好物保持体の嵌合部を嵌合させたとき、開口部が嵌合部で閉塞されるとともに、保持部に保持されたペット嗜好物が知育具本体内に隠匿されるので、ペット用玩具に興味を持たせ、ペット嗜好物を探索させるという遊びにより脳を活性化させることができ、また、ペット用玩具を転がしてもペット嗜好物が漏れ出ないので、長期にわたってペット用玩具に興味を持たせることができる。
【０００９】
また、本発明に係るペット用知育具は、前記知育具本体と前記嗜好物保持体とを連繋する連繋手段を備えたことを特徴としてもよい。
【００１０】
この構成によれば、知育具本体と嗜好物保持体とが連繋されるので、一方だけが紛失することを防止することができる。
【００１１】
また、本発明に係るペット用知育具は、前記知育具本体に、前記嗜好物保持体を模したダミーを設けたことを特徴としてもよい。
【００１２】
この構成によれば、ペット嗜好物が保持されている嗜好物保持体に模したダミーが、ペット用知育具に設けられていることから、嗜好物保持体とダミーとを混同させて嗜好物保持体の探知を困難とすることができる。したがって、嗜好物保持体を知育具本体から分離させることによりペット嗜好物を取得することができるということを簡単に習得してしまう知能の高いペットに対しても、嗜好物保持体とダミーを混同させて脳を活性化させることができる。
【発明の効果】
【００１３】
本発明によれば、ペット用知育具は、周面に少なくとも１つの開口部を備え内部が収納空間とされた知育具本体と、一端側にこの知育具本体の前記開口部と嵌合可能な嵌合部を有し、他端側に前記開口部を通じて前記収納空間の内外に出入り可能で且つペット嗜好物を保持する保持部を有する嗜好物保持体と、を備えており、前記知育具本体の開口部に前記嗜好物保持体の嵌合部が嵌合されたとき、該開口部が嵌合部で閉塞されるとともに、前記保持部に保持されたペット嗜好物が知育具本体内に隠匿されるという構造を備えていることから、ペット用玩具に興味を持たせ、ペット嗜好物を探索させるという遊びにより脳を活性化させることができ、また、ペット用玩具を転がしてもペット嗜好物が漏れ出ないので、長期にわたってペット用玩具に興味を持たせることができる。
【発明を実施するための最良の形態】
【００１４】
以下、本発明の実施の形態を図面に基づいて説明する。
【００１５】
＜実施の形態＞
図１は、本発明の実施の形態に係るペット用知育具を示し、（Ａ）は知育具本体と嗜好物保持体が結合した状態を示した斜視図であり、（Ｂ）は知育具本体と嗜好物保持体が分離した状態を示した斜視図であり、（Ｃ）は（Ａ）の矢符Ｉ−Ｉに沿った断面図である。
【００１６】
本発明の実施の形態に係るペット用知育具１は、周面１１に少なくとも１つの開口部１２を備え内部が収納空間１３とされた知育具本体１０と、ペット嗜好物５０を保持するものであってペット嗜好物５０が収納空間１３の内部に隠匿される保持部２１を有した嗜好物保持体２０と、を備えたものである。ペット嗜好物５０とは、ペットに興味を起こさせるものであり、例えば、ペット用餌などである。
【００１７】
知育具本体１０は、立方体で内部に収納空間１３を備えており、この収納空間１３から外方に開口する開口部１２が設けられている。収納空間１３を囲む壁は、ウレタンの両面に綿や発泡体等が積層された芯シートをフェルト布により覆った部材により形成されており、外観上、ぬいぐるみのような様態であり、肌触りがよいものとされている。収納空間１３は、保持部２１が収納できる程度の大きさの空間とされている。開口部１２は、嗜好物保持体２０が嵌合する程度の寸法とされている。なお、知育具本体１０の形状は立方体に限定されるものではない。知育具本体１０を構成する部材もまた、ウレタン、綿、発泡体等に限定されるものではない。
【００１８】
嗜好物保持体２０は、一端側に知育具本体１０の開口部１２と嵌合可能な嵌合部２２を有し、他端側に開口部１２を通じて収納空間１３の内外に出入り可能で且つペット嗜好物
５０を保持する保持部２１を有したものである。そして、知育具本体１０の開口部１２に嗜好物保持体５０の嵌合部２２が嵌合されたとき、開口部１２が嵌合部２２で閉塞されるとともに、保持部２１に保持されたペット嗜好物５０が知育具本体１０の内部に隠匿されるものとされている。
【００１９】
保持部２１は、綿や発泡体等が内部に詰められて略球状に形成され、その一部分に、ペット嗜好物５０を保持する袋状の保持袋２３が設けられたものであり、その大きさは、収納空間１３に収納されうる寸法とされている。なお、圧縮して開口部１２を通過させることができる場合は、保持部２１の断面は開口部１２より大きくてもよい。また、保持部２１の断面の形状は限定されない。
【００２０】
保持袋２３は、例えば、ペットの好物であるペット嗜好物５０やペットが興味を示すものが入れられる程度の大きさの袋として形成されている。この袋は、汚れを簡単にふき取ることができるプラスチックシートや合成繊維により形成されたシートにより形成することが好ましい。
【００２１】
嵌合部２２は、綿や発泡体等が内部に詰められて略球状に形成され、保持部２１に側面に設けられており、その断面形状は開口部１２の形状と同様なものとされ、その断面の大きさは開口部１２の大きさより僅かに大きい寸法とされている。具体的には、開口部１２が直径６０ｍｍの円形とされた場合は、嵌合部２２と開口部１２とが嵌合する部分の嵌合部２２の断面は、直径６５ｍｍの円形とされる。このように嵌合部２２の断面を開口部１２の寸法より大きめとすることにより、その嵌合部２２を圧縮して開口部１２に嵌合させて嵌合部２２を知育具本体１０に固定させている。
【００２２】
なお、図１に示されている嗜好物保持体２０は、保持部２１と嵌合部２２とが結合したものとなっているが、嗜好物保持体２０は、嵌合部自体２２と保持部２１を一体として形成してもよい。具体的には、球状の嵌合部２２の裏面（嵌合部２２を知育具本体１０に嵌合させたときに隠れる部分）を保持部２１とし、当該部分に保持袋２３を設けてもよい。
【００２３】
ペット用知育具１の用い方を次に説明する。
【００２４】
まず、保持部２１の保持袋２３にペット嗜好物５０を入れ、その嗜好物保持体２０を知育具本体１０に装着する。この装着の際、ペットに装着の作業を見せるなどして、ペット嗜好物５０の隠し方を示してもよい。そうしてから、ペットにペット用知育具１を与える。ペット嗜好物５０が餌の場合は、その臭いに惹きつけられペット用知育具１に興味を示し、また、ペット嗜好物５０が物の場合は、ペットは、その物が隠された様子を見てペット用知育具１に興味を示す。そして、ペットはそのペット用知育具１を転がしたり噛んだりする。そのように、ペットがそのペット用知育具１で遊んでいるうちに嗜好物保持体２０が外れるので、ペットはペット嗜好物５０を取得することとなる。このような作業を何回も繰り返すうちに、ペットは嗜好物保持体２０を知育具本体１０からから分離することによりペット嗜好物５０を取得できることを学習する。
【００２５】
以上のペット用知育具１によれば、周面に少なくとも１つの開口部１２を備え内部が収納空間１３とされた知育具本体１０と、一端側にこの知育具本体１０の開口部１２と嵌合可能な嵌合部２２を有し、他端側に開口部１２を通じて収納空間１３の内外に出入り可能で且つペット嗜好物５０を保持する保持部２１を有する嗜好物保持体２０と、を備えており、知育具本体１０の開口部１２に嗜好物保持体２０の嵌合部２２が嵌合されたとき、開口部１２が嵌合部２２で閉塞されるとともに、保持部２１に保持されたペット嗜好物５０が知育具本体１０の内部に隠匿される構成とされているので、ペット用玩具１に興味を持たせ、ペット嗜好物５０を探索させるという遊びにより脳を活性化させることができ、ま
た、ペット用玩具１を転がしてもペット嗜好物５０が漏れ出ないので、長期にわたってペット用玩具１に興味を持たせることができる。
【００２６】
また、ペット嗜好物５０を知育具本体１０の収納空間１３に完全に隠すことができ、且つ、その開口部１２を嵌合部２２により完全に塞ぐ構造としたことから、ペット嗜好物５０の臭いに惹き付けられたペットがそのペット用知育具１を転がしても、それだけでは、ペット嗜好物５０を得ることができないので、ペットの好奇心、探究心を喚起させることができる。
【００２７】
また、実際に、ペット嗜好物５０を保持した嗜好物保持体２０を知育具本体１０に装着するところをペットに見せペット嗜好物５０の取得方法を予め示してからペット用知育具１をペットに与えることにより、ペットにそのペット嗜好物５０の取得方法を一旦記憶させてからその再現をさせることができるので、知的トレーニングを行わせ、脳の活性化させることができる。
【００２８】
また、保持部２１の保持袋２３には、ペット嗜好物５０として種々の物を隠すことができるので、当該ペット用知育具１を飽きさせずに使用することができる。
【００２９】
また、知育具本体１０の収納空間１３にペット嗜好物５０を隠すのではなく、知育具本体１０から分離する嗜好物保持体２０にペット嗜好物５０を保持させる構造とし、嗜好物保持体２０を知育具本体１０から分離したときにペットにペット嗜好物５０を視認させることができる構造としていることから、操作と結果を関連させて学習させることができる。この結果、学習の効果の向上させることができる。
【００３０】
更に、嗜好物保持体２０を単に開口部１２の蓋として用いて、知育具本体１０の収納空間１３にペットのペット嗜好物５０を隠して、ペット用知育具１をペットに与えることもできるので、上記とは別のペット嗜好物５０の隠し方でペット用知育具１をペットに与えることができる。これにより、上記の隠匿方法に飽きたペットに対して、新たな興味を起こさせることができる。
【００３１】
＜変形例１＞
図２は、本発明の実施の形態の変形例１に係るペット用知育具を示し、（Ａ）は知育具本体と嗜好物保持体が結合した状態を示した斜視図であり、（Ｂ）は知育具本体から嗜好物保持体が外れた状態を示した斜視図であり、（Ｃ）は（Ｂ）の矢符ＩＩ−ＩＩに沿った断面図である。
【００３２】
変形例１に係るペット用知育具１は、上記に示した実施の形態の変形例であって、嗜好物保持体２０を知育具本体１０が完全に分離しないように、嗜好物保持体２０と知育具本体１０とを連繋手段３０により連結したものである。
【００３３】
連繋手段３０は、開口部１２から筒状に延在して設けられたシート（例えば、伸縮性のあるナイロンシート、綿生地等）により形成されたり、或いは、一端が収納空間１３の内壁に結合され他端が嗜好物保持体２０に付けられた紐状体（例えば、綿製紐、鎖等）により形成されたりする。
【００３４】
なお、連繋手段以外の構成は、実施の形態と同様であるので説明を省略する。
【００３５】
以上のペット用知育具１によれば、知育具本体１０と嗜好物保持体２０とが連繋されるので、一方だけが紛失することを防止することができる。
【００３６】
＜変形例２＞
図３は、本発明の実施の形態の変形例２に係るペット用知育具を示し、（Ａ）は知育具本体と嗜好物保持体が結合した状態を示した斜視図であり、（Ｂ）は知育具本体から嗜好物保持体が分離した状態を示した斜視図であり、（Ｃ）は（Ａ）の矢符ＩＩＩ−ＩＩＩに沿った断面図であり、（Ｄ）は、突出ダミーが知育具本体から外れた状態を示した説明図である。
【００３７】
変形例２に係るペット用知育具１は、上記に示した実施の形態の変形例であって、嗜好物保持体２０を模したダミー４０を２個設けたものである。
【００３８】
ダミー４０は、ダミー４０と嗜好物保持体２０とを混同させることにより、ペットを混乱させるための手段である。
【００３９】
具体的には、嗜好物保持体２０が知育具本体１０に装着されたときに外部に突出する部分の形状及び形態を模した凸部を知育具本体１０に形成することにより、ダミー４０を形成される（図３（Ａ）参照。）。さらに、嗜好物保持体２０が知育具本体１０から分離することを摸して、ダミー４０が知育具本体１０から分離するように構成してもよい。また、分離するダミー４０が紛失しないように、ダミー４０と知育具本体１０とを連繋手段４１により連繋してもよい（図３（Ｄ）参照。）。また、嗜好物保持体２０が知育具本体１０に装着されたときに外部に現れる部分の模様と同様の模様を知育具本体１０に描画することにより、ダミー４０を形成してもよい。
【００４０】
以上のペット用知育具１によれば、ペット嗜好物５０が保持されている嗜好物保持体２０に模したダミー４０が、ペット用知育具１に設けられていることから、嗜好物保持体２０とダミー４０とを混同させて嗜好物保持体２０の探知を困難とすることができる。したがって、嗜好物保持体２０を知育具本体１０から分離させることによりペット嗜好物５０を取得することができるということを簡単に習得してしまう知能の高いペットに対しても、嗜好物保持体２０とダミー４０を混同させて脳を活性化させることができる。また、一旦、ペット嗜好物５０の取得方法を習得したとしても、嗜好物保持体２０とダミー４０とを間違わずに嗜好物保持体２０を探知させることは困難であるので、ペット用知育具１に飽きさせずに長期にわたって興味を持たせ続けることができる。
【図面の簡単な説明】
【００４１】
【図１】本発明の実施の形態に係るペット用知育具を示し、（Ａ）は知育具本体と嗜好物保持体が結合した状態を示した斜視図であり、（Ｂ）は知育具本体と嗜好物保持体が分離した状態を示した斜視図であり、（Ｃ）は（Ａ）の矢符Ｉ−Ｉに沿った断面図である。
【図２】本発明の実施の形態の変形例１に係るペット用知育具を示し、（Ａ）は知育具本体と嗜好物保持体が結合した状態を示した斜視図であり、（Ｂ）は知育具本体から嗜好物保持体が外れた状態を示した斜視図であり、（Ｃ）は（Ｂ）の矢符ＩＩ−ＩＩに沿った断面図である。
【図３】本発明の実施の形態の変形例２に係るペット用知育具を示し、（Ａ）は知育具本体と嗜好物保持体が結合した状態を示した斜視図であり、（Ｂ）は知育具本体から嗜好物保持体が分離した状態を示した斜視図であり、（Ｃ）は（Ａ）の矢符ＩＩＩ−ＩＩＩに沿った断面図であり、（Ｄ）は、突出ダミーが知育具本体から外れた状態を示した説明図である。
【符号の説明】
【００４２】
１            ペット用知育具
１０          知育具本体
１１          周面
１２          開口部
１３          収納空間
２０          嗜好物保持体
２１          保持部
２２          嵌合部
２３          保持袋
３０，４１    連繋手段
４０          ダミー
【図１】
2009136252.tif 000003
【図２】
2009136252.tif 000004
【図３】
2009136252.tif 000005